(57)【要約】【課題】収納凹部の係合位置以外への箱状部材の係合を規制することができ、その上で箱状部材の収納空間を良好な形状にすることが可能な収納装置の提供。【解決手段】上方に開口する収納凹部１４と、収納凹部１４に着脱可能に係合する箱状部材１５と、を備え、収納凹部１４の所定の係合位置への箱状部材１４の係合をガイドするガイド手段９５を設けており、ガイド手段９５は、収納凹部１４の側壁部２０から内方に向けて突出し上下方向に延びる突出部４２と、収納凹部１４の側壁部２０と対向する箱状部材１５の側壁部５４から外方に向けて突出し箱状部材１５の下縁部に沿って水平方向に延在形成されて箱状部材１５の係合位置以外への係合を突出部４２への干渉で規制する横ガイド突起７７とを有する。【選択図】図３
2010158950.tif 000002
【特許請求の範囲】
【請求項１】
上方に開口する収納凹部と、該収納凹部に着脱可能に係合する箱状部材と、を備え、前記収納凹部の所定の係合位置への前記箱状部材の係合をガイドするガイド手段を設けた収納装置において、
前記ガイド手段は、前記収納凹部の側壁部から内方に向けて突出し上下方向に延びる突出部と、前記収納凹部の側壁部と対向する前記箱状部材の側壁部から外方に向けて突出し前記箱状部材の下縁部に沿って水平方向に延在形成されて該箱状部材の前記係合位置以外への係合を前記突出部への干渉で規制する横ガイド突起とを有することを特徴とする収納装置。
【請求項２】
前記箱状部材の側壁部に、前記横ガイド突起と連続し、該横ガイド突起の端部から鉛直方向に延びる縦ガイド突起を備えたことを特徴とする請求項１記載の収納装置。
【請求項３】
前記箱状部材に、該箱状部材の前記係合位置への係合時に前記突出部と係合する係合部材を設けたことを特徴とする請求項１または２記載の収納装置。
【発明の詳細な説明】
【技術分野】
【０００１】
本発明は、車両用の収納装置に関する。
【背景技術】
【０００２】
車両用の収納装置として、例えばセンタコンソールに形成された上方に開口する収納凹部に別体の箱状部材を着脱自在に設けたものがある（例えば、特許文献１参照）。この収納装置では、箱状部材を収納凹部の所定位置に係合させるために、収納凹部の一方の側壁部に上下に長い突起部が形成され、箱状部材の側壁部にこの突起部が嵌まり込む上下に長い凹部が形成されている。また、収納凹部の他方の側壁部には係合凹部が形成されており、箱状部材に設けられた板バネをこの係合凹部に係合させることで、箱状部材が装着状態で抜け止めされるようになっている。
【先行技術文献】
【特許文献】
【０００３】
【特許文献１】特開２００７−３８７２６号公報
【発明の概要】
【発明が解決しようとする課題】
【０００４】
上記のように、箱状部材の側壁部に突起部を嵌め込むための上下に長い凹部を形成すると、箱状部材の内側の形状がこの凹部に倣って上下に長く突出する形状になってしまう。これにより、収納空間が歪な形状となり、使い勝手性が悪くなってしまう可能性があった。
【０００５】
したがって、本発明は、収納凹部の係合位置以外への箱状部材の係合を規制することができ、その上で箱状部材の収納空間を良好な形状にすることが可能な収納装置の提供を目的とする。
【課題を解決するための手段】
【０００６】
上記目的を達成するため、請求項１に係る発明は、上方に開口する収納凹部（例えば実施形態における収納凹部１４）と、該収納凹部に着脱可能に係合する箱状部材（例えば実施形態における箱状部材１５）と、を備え、前記収納凹部の所定の係合位置への前記箱状部材の係合をガイドするガイド手段（例えば実施形態におけるガイド機構９５）を設けた収納装置（例えば実施形態における収納装置１０）において、前記ガイド手段は、前記収納凹部の側壁部（例えば実施形態における側壁部２０）から内方に向けて突出し上下方向に延びる突出部（例えば実施形態における突出部４２）と、前記収納凹部の側壁部と対向する前記箱状部材の側壁部（例えば実施形態における側壁部５４）から外方に向けて突出し前記箱状部材の下縁部に沿って水平方向に延在形成されて該箱状部材の前記係合位置以外への係合を前記突出部への干渉で規制する横ガイド突起（例えば実施形態における横ガイド突起７７）とを有することを特徴としている。
【０００７】
また、請求項２に係る発明は、請求項１に係る発明において、前記箱状部材の側壁部に、前記横ガイド突起と連続し、該横ガイド突起の端部から鉛直方向に延びる縦ガイド突起（例えば実施形態における縦ガイド突起８４）を備えたことを特徴としている。
【０００８】
また、請求項３に係る発明は、請求項１または２に係る発明において、前記箱状部材に、該箱状部材の前記係合位置への係合時に前記突出部と係合する係合部材（例えば実施形態における係合部材５１）を設けたことを特徴としている。
【発明の効果】
【０００９】
請求項１に係る発明によれば、箱状部材を収納凹部に対して所定の係合位置以外に係合させようとしても、箱状部材の側壁部の下縁部に沿って水平方向に延びる横ガイド突起が、収納凹部の側壁部から内方に向けて突出し上下方向に延びる突出部に干渉することで係合を規制することになる。このようにして収納凹部の係合位置以外への箱状部材の係合を規制することができる。しかも、箱状部材には、その側壁部から外方に向けて突出しその下縁部に沿って水平方向に延びる横ガイド突起を設けるため、箱状部材の収納空間を良好な形状にすることが可能になる。
【００１０】
請求項２に係る発明によれば、横ガイド突起と連続してその端部から鉛直方向に延びる縦ガイド突起を備えているため、横ガイド突起および縦ガイド突起で箱状部材の側壁部を補強することができる。
【００１１】
請求項３に係る発明によれば、箱状部材の係合位置への係合時に、箱状部材に設けられた係合部材が突出部と係合することで箱状部材が抜け止めされることになる。よって、箱状部材の係合位置以外への係合を規制する突出部を箱状部材の抜け止め係合用として兼用できる。
【図面の簡単な説明】
【００１２】
【図１】本発明の一実施形態に係る収納装置を示す分解斜視図である。
【図２】本発明の一実施形態に係る収納装置を示す斜視図である。
【図３】本発明の一実施形態に係る収納装置を示す拡大分解斜視図である。
【図４】本発明の一実施形態に係る収納装置の左右方向中央位置を前後方向に沿って断面とした断面図である。
【図５】本発明の一実施形態に係る収納装置の係合爪の配設位置を前後方向に沿って断面とした断面図である。
【図６】本発明の一実施形態に係る収納装置の突出部の配設位置を左右方向に沿って断面とした断面図である。
【発明を実施するための形態】
【００１３】
本発明の一実施形態に係る収納装置を図面を参照して以下に説明する。
本実施形態に係る収納装置は、車両の車室内に設けられるものである。以下の説明における前後左右は車両における前後左右である。
【００１４】
本実施形態に係る収納装置１０は、図１に示すように前後方向に延在するセンタコンソール１１のシフトレバー配設部１２よりも前方に形成された収納凹部１４と、この収納凹部１４に対して図２および図３に示すように着脱可能に係合する箱状部材１５とを有している。センタコンソール１１は少なくとも表面側が合成樹脂を主体として形成されており、箱状部材１５も合成樹脂を主体として形成されている。
【００１５】
収納凹部１４は、図３に示すように、上下方向に沿って立設され前後方向に延在する左右一対の側壁部２０と、これら側壁部２０の下縁部同士を結ぶように水平方向に沿って配置される底面部２１と、この底面部２１の前縁部から側壁部２０同士を結ぶように上方向に立ち上がる前壁部２２と、底面部２１の後縁部から側壁部２０同士を結ぶように上方向に沿って立ち上がる後壁部２３とを有している。これにより、収納凹部１４は、上部に開口部２４を有し、上方に開口する形状をなしており、物品を収納可能となっている。
【００１６】
前壁部２２は、図４に示すように前上がりに傾斜しており、その上端部から若干前方に延出する頂上部２７が形成され、この頂上部２７の前壁部２２とは反対側の端部から前下がりに傾斜する短壁部２８が形成されている。収納凹部１４の前端部には、前壁部２２の上部と頂上部２７と短壁部２８とで上側に凸状をなし上側ほど前後方向に窄まる形状のガイド凸部３０が形成されている。短壁部２８の下端部の左右両側には、図５に一方のみを示すように前後に貫通する係合穴３１が形成されている。
【００１７】
センタコンソール１１には、この短壁部２８の下縁部から底面部２１よりも高い位置で前方に水平方向に沿って延在する底面部３５が図３に示すように側壁部２０同士を結んで形成されており、この底面部３５の前縁部から側壁部２０同士を結ぶように上方向に立ち上がる前方壁部３６が形成されている。これら一対の側壁部２０、短壁部２８、前方壁部３６および底面部３５で、収納凹部１４よりも位置が高く深さが浅い載置凹部３７が形成されている。この載置凹部３７も上方に開口する形状をなしており、物品が載置可能となっている。
【００１８】
収納凹部１４の後壁部２３の上縁部は、図３に片側のみ示すように左右両側が下方に円弧状に凹んでおり、これらの部分から後方に、後方ほど深さが浅くなる凹状部４０が形成されている。左右の凹状部４０の間に、図示略のシフトレバーが配設される上記したシフトレバー配設部１２が上側に凸状をなして形成されている。
【００１９】
そして、本実施形態において、収納凹部１４には、一対の側壁部２０から内方に向けて突出し上下方向に延びる一対の同形状の突出部４２が互いに前後位置および高さを合わせて所定位置に形成されている。突出部４２は、図６に示すように、下側ほど収納凹部１４の中央側に位置するように傾斜する規制部４３と、この規制部４３の下端から、水平に近い角度で外側ほど下側に位置するように傾斜する係止部４４とを有している。
【００２０】
箱状部材１５は、図３に示すように、合成樹脂製の箱状部材本体５０と、この箱状部材本体５０にネジ止めされるバネ鋼材からなる係合部材５１とを有している。
【００２１】
箱状部材本体５０は、上下方向に沿って立設され前後方向に延在する左右一対の側壁部５４と、これら側壁部５４の下縁部同士を結ぶように水平方向に沿って配置される図４に示す底面部５５と、この底面部５５の前縁部から側壁部５４の前縁部同士を結ぶように上方向に立ち上がる前壁部５６と、底面部５５の後縁部から側壁部５４の後縁部同士を結ぶように上方向に立ち上がる後壁部５７とを有している。これにより、箱状部材本体５０は、上部に開口する形状をなしている。前壁部５６は鉛直に近い角度で若干前上がりに傾斜しており、後壁部５７は鉛直に近い角度で若干後上がりに傾斜している。
【００２２】
また、箱状部材本体５０には、前壁部５６の上端部から前方に若干延出する頂上部５９が形成され、この頂上部５９の前壁部５６とは反対側の端部から前下がりに傾斜して若干延出する延出板部６０が形成されている。図３に一カ所のみ示すが、延出板部６０および前壁部５６の上部同士を結ぶように連結リブ６１が複数形成されている。箱状部材本体５０の前端部には、前壁部５６の上部、頂上部５９および延出板部６０によって上側に凹む下側ほど前後方向に広がる形状のガイド凹部６４が形成されている。そして、延出板部６０の連結リブ６１よりも下方に突出する下端部には、図３において片側のみを示すように、前壁部５６側に突出して係合爪６５が左右に一対形成されている。
【００２３】
また、箱状部材本体５０には、後壁部５７の上縁部から後方に延出する後方延出部６８が形成されている。この後方延出部６８は左右方向の中央部に中央側ほど後方への延出量が大きい山形の中央凸部６９が形成されている。そして、箱状部材本体５０には、この後方延出部６８の後縁部から下方に延出する後端壁部７１が形成されている。よって、この後端壁部７１にも左右方向の中央部に中央側ほど後方への延出量が大きい山形の中央凸部７２が形成されている。そして、後端壁部７１の上部には、中央凸部７２の左右から水平方向に沿って後方に延出する一対の保持板部７３が形成されている。図２に示すように、箱状部材１５が収納凹部１４の所定の係合位置にセットされた状態で、箱状部材本体５０の後端壁部７１と収納凹部１４の後壁部２３との間に中央凸部７２で区切られて二カ所のドリンクホルダ部７５が形成される。保持板部７３は、ドリンクホルダ部７５内に突出することで、ドリンクホルダ部７５に載置される図示略の飲料容器に当接しそのガタツキを規制する。センタコンソール１１の収納凹部１４の後側に形成された左右の凹状部４０は、左右のドリンクホルダ部７５に繋がるように形成されている。
【００２４】
そして、本実施形態において、箱状部材本体５０の両側壁部５４の下縁部には、図３において一方のみを示すが、外方に向けて突出する横ガイド突起７７が箱状部材本体５０の下縁部に沿って水平方向に延在形成されている。横ガイド突起７７は、側壁部５４の下縁部から外方に向けて突出し水平方向に沿って延在する下側リブ７８と、側壁部５４の下側リブ７８よりも上側から外方に向けて突出し下側リブ７８と平行に延在する上側リブ７９と、これら下側リブ７８および上側リブ７９を結ぶように側壁部５４から外方に向けて突出し下側リブ７８および上側リブ７９に対して直交延在する複数の連結リブ８０とからなっている。なお、上側リブ７９および下側リブ７８の前端部同士は繋がっている。
【００２５】
また、箱状部材本体５０の両側壁部５４の後部には、図３において一方のみを示すが、外方に向けて突出する縦ガイド突起８４が横ガイド突起７７と連続し横ガイド突起７７の後端部から鉛直方向に延びて形成されている。縦ガイド突起８４は、下側リブ７８の後端部に連続するように、側壁部５４から外方に向けて突出し後上がりに延出した後に前上がりに延出する屈曲形状の後側リブ８５と、上側リブ７９の後端部に連続するように、側壁部５４から外方に向けて突出し後側リブ８５の前側で後側リブ８５に沿って延出する屈曲形状の前側リブ８６と、これら後側リブ８５および前側リブ８６を結ぶように側壁部５４から外方に向けて突出し後側リブ８５および前側リブ８６に対して直交延在する複数の連結リブ８７とからなっている。
【００２６】
加えて、箱状部材本体５０の左右両側の縦ガイド突起８４よりも後方かつ後端壁部７１よりも前側には、上記した係合部材５１がネジ止めされている。この係合部材５１は、上下方向に長い形状をなしており、図６に示すように、下部が箱状部材本体５０にネジ９０で固定され、上部が自由端となっている。この上部に、箱状部材１５の左右方向外方に突出するように湾曲する係合部９１が形成されている。
【００２７】
そして、箱状部材１５は、収納凹部１４内の前部側の所定の係合位置に係合させられることになるが、その際に、図３に示すように、箱状部材１５の前壁部５６の上部、頂上部５９および延出板部６０で形成される下広がりのガイド凹部６４を、収納凹部１４の前壁部２２の上部、頂上部２７および短壁部２８で形成される上窄まりのガイド凸部３０に嵌合させる。すると、箱状部材１５が収納凹部１４に対し前後方向に位置決めされて、収納凹部１４の側壁部２０に形成された突出部４２に、側壁部２０に対向する箱状部材１５の側壁部５４側に形成された係合部材５１の前後方向の位置が合うことになる。よって、両側の突出部４２の図６に示す規制部４３により両側の係合部材５１の係合部９１が共に内側に押圧されて箱状部材１５を左右方向の中央位置に位置決めしながら係合部材５１を弾性変形させることになり、箱状部材１５の底面部５５が収納凹部１４の底面部２１に当接する位置で両側の係合部９１が両側の突出部４２の下側の係止部４４に係合する。また、これに合わせて、図５に示すガイド凸部３０の短壁部２８で、箱状部材１５の延出板部６０の係合爪６５が押圧されて延出板部６０を弾性変形させることになり、箱状部材１５の底面部５５が収納凹部１４の底面部２１に当接する位置で、延出板部６０の係合爪６５が短壁部２８に形成された係合穴３１に係合する。このようにして、箱状部材１５が収納凹部１４の所定の係合位置へ係合され、収納凹部１４から抜け止めされる。
【００２８】
他方、箱状部材１５が、上記係合位置以外の位置に係合させられようとすると、いずれの位置に係合させようとしても、収納凹部１４の側壁部２０と対向する箱状部材１５の側壁部５４から外方に突出形成された図３に示す横ガイド突起７７が、側壁部２０から内方に向けて突出する突出部４２に干渉することになり、箱状部材１５は、底面部５５を収納凹部１４の底面部２１に当接させる位置まで係合することなく、係合が規制される。
【００２９】
以上により、図３に示すように、箱状部材１５のガイド凹部６４、収納凹部１４のガイド凸部３０、箱状部材１５の横ガイド突起７７および収納凹部１４の突出部４２が、収納凹部１４の所定の係合位置以外への箱状部材１５の係合を規制して、収納凹部１４の所定の係合位置への箱状部材１５の係合をガイドするガイド機構（ガイド手段）９５を構成している。
【００３０】
また、収納凹部１４から箱状部材１５を取り外す際には、箱状部材１５を引き上げると、箱状部材１５の図５に示す係合爪６５が延出板部６０を弾性変形させて係合穴３１から外れるとともに、図６に示す係合部９１が係合部材５１を弾性変形させて突出部４２の係止部４４から外れることになり、収納凹部１４から箱状部材１５が取り外される。
【００３１】
以上に述べたように、本実施形態に係る収納装置１０によれば、箱状部材１５を収納凹部１４に対して所定の係合位置以外に係合させようとしても、箱状部材１５の側壁部５４の下縁部に沿って水平方向に延びる横ガイド突起７７が、収納凹部１４の側壁部２０から内方に向けて突出し上下方向に延びる突出部４２に干渉することで係合を規制することになる。このように、収納凹部１４の係合位置以外への箱状部材１５の係合を規制することができる。しかも、箱状部材１５には、その側壁部５４から外方に向けて突出しその下縁部に沿って水平方向に延びる横ガイド突起７７を設けるため、箱状部材１５の内側の収納空間を良好な形状にすることが可能になる。
【００３２】
また、横ガイド突起７７と連続してその端部から鉛直方向に延びる縦ガイド突起８４を備えているため、横ガイド突起７７および縦ガイド突起８４で箱状部材１５の側壁部５４を補強することができる。
【００３３】
また、箱状部材１５の係合位置への係合時に、箱状部材１５に設けられた係合部材５１が突出部４２と係合することで箱状部材１５が抜け止めされることになる。よって、箱状部材１５の係合位置以外への係合を規制する突出部４２を箱状部材１５の抜け止め係合用として兼用できる。
【符号の説明】
【００３４】
１０  収納装置
１４  収納凹部
１５  箱状部材
２０  側壁部
４２  突出部
５１  係合部材
５４  側壁部
７７  横ガイド突起
８４  縦ガイド突起
９５  ガイド機構（ガイド手段）
【図１】
2010158950.tif 000003
【図２】
2010158950.tif 000004
【図３】
2010158950.tif 000005
【図４】
2010158950.tif 000006
【図５】
2010158950.tif 000007
【図６】
2010158950.tif 000008